(57)【特許請求の範囲】
【請求項１】
天板に形成されたフランジと該フランジに着脱自在に取り付けたプラグとを有する口金部から前記プラグを開栓する際に前記口金部に装着して使用するドラム缶用異物吸込み防止治具であって、
前記口金部の周囲の前記天板を覆う本体と、
前記プラグを開栓可能に前記本体に開口された開口部と
を有し、
前記フランジは、前記ドラム缶用異物吸込み防止治具の前記口金部への装着に伴い前記開口部に当接する上端部を有し、
前記本体は、前記ドラム缶用異物吸込み防止治具の前記口金部への装着に伴い前記プラグよりも上側に位置付けられる上面を有し、
前記開口部は、
前記ドラム缶用異物吸込み防止治具の前記口金部への装着に伴い前記上端部の上面が全周に亘って当接される内側フランジと、
前記ドラム缶用異物吸込み防止治具の前記口金部への装着に伴い前記上端部の外周面が全周に亘って当接される内周面と
を有する、ドラム缶用異物吸込み防止治具。
【請求項２】
前記本体は、前記ドラム缶用異物吸込み防止治具の前記口金部への装着に伴い前記開口部の少なくとも一部を変形させて、前記上端部を前記開口部に密着させる弾性部を有する、請求項１に記載のドラム缶用異物吸込み防止治具。
【請求項３】
前記フランジは、前記天板から一体に立ち上げ加工された筒部に下側から圧入され、
前記上端部は、前記フランジの上端を前記フランジの径方向外側に折り曲げて前記筒部の上端に巻き締められたカール部である、請求項１又は２に記載のドラム缶用異物吸込み防止治具。
【発明の詳細な説明】
【技術分野】
【０００１】
本発明は、ドラム缶用異物吸込み防止治具に関する。
【背景技術】
【０００２】
特許文献１には、開栓時に缶内の陽圧によって内容物の粉粒体が噴出して飛散するのを防止するために、フィルム製蓋を貼り付けたフルオープン簡易開口式容器が開示されている。
また、特許文献２には、ドラム缶等の容器の天板の外周のチャイムに跨る縦断面略逆Ｕ型の吸水性部材によって天板の上面の雨水を外部に排出することにより、雨水が天板の口金部に浸入するのを阻止し、また、プラグを開ける際に雨水が容器内に混入しないようにした、雨水吸上げ排出装置が開示されている。
【先行技術文献】
【特許文献】
【０００３】
【特許文献１】特開２００９−１８８３９号公報
【特許文献２】特開２０１４−８４１２７号公報
【発明の概要】
【発明が解決しようとする課題】
【０００４】
ドラム缶の製造過程では、仕上げの塗装工程等により、ある程度の熱を帯びた状態で天板に設けられた注水口を形成する口金部をプラグで閉栓することでドラム缶が密閉される。保管中、搬送中、或いは納入先においてドラム缶が外気等の環境下に曝されて冷却されると、ドラム缶内に密閉された空気は収縮することにより体積が減少し、ドラム缶内が減圧される。このため、ドラム缶に内容物を充填するために口金部からプラグを外して開栓すると、ドラム缶内に空気が吸い込まれて缶内負圧が瞬時に解消される。
【０００５】
缶内負圧解消の際、ドラム缶の天板の口金部の周囲に微小なゴミや埃等の異物が存在すると、開栓時に空気とともに当該異物がドラム缶内に吸込まれてしまう。しかしながら、上記特許文献１、２では、上記ドラム缶の缶内負圧に起因した開栓時の異物吸込みについては格別な配慮がなされていない。
【０００６】
ドラム缶の開栓前にドラム缶の天板及び胴体を布で拭取りしたり、或いは吸引機で吸込んだりして清掃を行い、異物吸込みを防止することが考えられる。しかしながら、大量のドラム缶を取り扱う場合、汚れた布を使用し続けたり、拭き取り等の清掃作業が乱雑になったり、或いは、清掃作業を実施しないでドラム缶を開栓したりする場合もあり得る。
【０００７】
これら場合には、ドラム缶に埃等の異物が付着している状態で開栓作業を行うこととなり、缶内への異物吸引を回避できない。このようなドラム缶の缶内負圧に起因した開栓時の異物吸込みは、内容物を充填する前のドラム缶の缶内清浄度を著しく損なうともに、ドラム缶の製造過程でドラム缶内に異物が既に混入していたのではないかという誤解をユーザに与えかねず、従前よりこのような問題の解決が望まれていた。
【０００８】
本発明はこのような課題に鑑みてなされたものであり、その目的とするところは、ドラム缶の缶内負圧に起因した開栓時の異物吸込みを確実に防止することにより、ドラム缶の缶内清浄度及びドラム缶の品質に対する信頼性を容易にして高めることができる、ドラム缶用異物吸込み防止治具を提供することにある。
【課題を解決するための手段】
【０００９】
上記目的を達成するため、本発明のドラム缶用異物吸込み防止治具は、天板に形成されたフランジと該フランジに着脱自在に取り付けたプラグとを有する口金部からプラグを開栓する際に口金部に装着して使用するドラム缶用異物吸込み防止治具であって、口金部の周囲の天板を覆う本体と、プラグを開栓可能に本体に開口された開口部とを有し、フランジは、ドラム缶用異物吸込み防止治具の口金部への装着に伴い開口部に当接する上端部を有し、本体は、ドラム缶用異物吸込み防止治具の口金部への装着に伴いプラグよりも上側に位置付けられる上面を有し、開口部は、ドラム缶用異物吸込み防止治具の口金部への装着に伴い上端部の上面が全周に亘って当接される内側フランジと、ドラム缶用異物吸込み防止治具の口金部への装着に伴い上端部の外周面が全周に亘って当接される内周面とを有する。
【００１１】
好ましくは、本体は、ドラム缶用異物吸込み防止治具の口金部への装着に伴い開口部の少なくとも一部を変形させて、上端部を開口部に密着させる弾性部を有する。
好ましくは、フランジは、天板から一体に立ち上げ加工された筒部に下側から圧入され、上端部は、フランジの上端をフランジの径方向外側に折り曲げて筒部の上端に巻き締められたカール部である。
【発明の効果】
【００１２】
本発明のドラム缶用異物吸込み防止治具によれば、ドラム缶の缶内負圧に起因した開栓時の異物吸込みを確実に防止することにより、ドラム缶の缶内清浄度及びドラム缶の品質に対する信頼性を容易にして高めることができる、ドラム缶用異物吸込み防止治具を提供することができる。
【図面の簡単な説明】
【００１３】
【図１】本発明の第１実施形態に係るドラム缶用異物吸込み防止治具をドラム缶に装着した状態を示した斜視図である。
【図２】図１のドラム缶用異物吸込み防止治具をドラム缶の口金部に装着した状態を示した断面図である。
【図３】図２の要部を拡大した図である。
【図４】図１のドラム缶用異物吸込み防止治具の断面図である。
【図５】本発明の第２実施形態に係るドラム缶用異物吸込み防止治具の断面図である。
【図６】図５のドラム缶用異物吸込み防止治具をドラム缶の口金部に装着した状態を示した断面図である。
【図７】図６の要部を拡大した図である。
【発明を実施するための形態】
【００１４】
以下、図面に基づき本発明の一実施形態に係るドラム缶用異物吸込み防止治具１（以下、単に治具と称することもある）ついて説明する。
図１に示すように、治具１が装着されるドラム缶２は、例えばクローズ缶であって、円筒状をなした中空の胴体４と、この胴体４の下端開口を閉塞する地板６と、胴体４の上端開口を閉塞する天板８とを備えている。
【００１５】
胴体４の上端縁と天板８の外周縁、及び胴体４の下端縁と地板６の外周縁は、それぞれ、充填剤を介在させた状態で巻締めにより相互に接合されてチャイム１０、１２を形成している。また、天板８の上面８ａにはドラム缶２内に内容物を充填するための注入口（大栓）１４が設けられ、治具１は注入口１４に装着されている。なお、天板８の上面８ａに図示しない換気口（小栓）を設ける場合もある。
【００１６】
＜第１実施形態＞
図２に示すように、注入口１４を形成する口金部１６は、いわゆる内ネジ式口金であって、天板８に形成されたフランジ１８、フランジ１８に着脱自在に取り付けたプラグ２０、天板８とフランジ１８との間に装着されたフランジ用ガスケット２２、プラグ２０に装着されたプラグ用ガスケット２４を備えている。
【００１７】
詳しくは、図３に示すように、フランジ１８は、筒状の座金であって、その内周面に雌ネジ１８ａが形成され、天板８の下面８ｂに当接される座部１８ｂを有している。また、フランジ１８は、天板８の上面８ａからプレス成形等により一体に立ち上げ加工された筒部８ｃに下側から圧入されている。また、天板８の上面８ａと筒部８ｃとの間には段差部８ｄが形成されている。
【００１８】
また、フランジ１８は、その上端がフランジ１８の径方向外側に折り曲げられて筒部８ｃの上端に巻き締められ、これよりフランジ１８にカール部（上端部）１８ｃが形成されている。
フランジ用ガスケット２２は、環状パッキンであって、フランジ１８の座部１８ｂから外周面１８ｄと、天板８の段差部８ｄから筒部８ｃとの間に装着され、フランジ１８と天板８との間からのドラム缶２内の内容物の漏洩を防ぎ、口金部１６のシール性を確保している。
【００１９】
プラグ２０は、有底筒状の蓋であって、その外周面にはフランジ１８の雌ネジ１８ａに螺合される雄ネジ２０ａが形成されている。
プラグ用ガスケット２４、環状パッキンであって、プラグ２０の上端外周面２０ｂに装着され、閉栓時におけるフランジ１８とプラグ２０との間からのドラム缶２内の内容物の漏洩を防ぎ、口金部１６のシール性を確保している。
【００２０】
図４に示すように、治具１は、治具１を口金部１６に装着した状態で口金部１６の周囲の天板８の上面８ａを覆う本体２６と、プラグ２０を開栓可能な直径Ｄで本体２６の上面２６ａのほぼ中央に貫通、開口された開口部２８と有している。治具１は、径方向幅Ｗ、厚さｔを有する環状部材として、例えば可撓性を有する硬質の合成樹脂材料から形成され、新規製作したドラム缶２の口金部１６からプラグ２０を開栓する際に口金部１６に装着して使用する。
【００２１】
図３に示すように、開口部２８は、治具１の口金部１６への装着に伴いカール部１８ｃに当接する。具体的には、開口部２８には、その径方向内側に突出した内側フランジ２８ａが形成され、内側フランジ２８ａにはカール部１８ｃの上面１８ｃ１が全周に亘って当接されている。また、開口部２８の内側フランジ２８ａよりも下側に形成された内周面２８ｂには、カール部１８ｃの外周面１８ｃ２が全周に亘って当接されている。
【００２２】
このように、治具１の口金部１６への装着に伴い、開口部２８とカール部１８ｃとがカール部１８ｃの上面１８ｃ１及び外周面１８ｃ２の２箇所で二重にシールされることにより、口金部１６の開栓時において天板８の上面８ａから治具１の下側を経由しプラグ２０に至る異物吸引下側ルートが確実に遮断される。
【００２３】
また、本実施形態では、開口部２８の内側フランジ２８ａの下部に内周溝２８ｃが形成され、この内周溝２８ｃには環状の治具用ガスケット（弾性部）３０が装着されている。すなわち、カール部１８ｃの上面１８ｃ１は内側フランジ２８ａの一部をなす治具用ガスケット３０に当接されている。天板８の段差部８ｄと本体２６の下面２６ｂとは離間しており、治具１自体の重量によってカール部１８ｃの上面１８ｃ１に治具用ガスケット３０が押圧される。
【００２４】
治具１の口金部１６への装着に伴い、開口部２８の一部である治具用ガスケット３０が治具１の自重によってカール部１８ｃの上面１８ｃ１に押圧され、上面１８ｃ１に沿って湾曲変形することにより、治具用ガスケット３０は上面１８ｃ１へのシール面積を増大させながらカール部１８ｃに密着される。当該密着によって、口金部１６の開栓時における異物吸引下側ルートが更に好適に遮断される。
【００２５】
一方、本体２６の上面２６ａは治具１を口金部１６に装着した状態でプラグ２０よりも上側に位置付けられ、プラグ２０の上端開口端２０ｃから本体２６の上面２６ａに至るまでは距離Ｌ１が確保されている。この距離Ｌ１に、本体２６の径方向幅Ｗである距離Ｌ２と、本体２６の上面２６ａから天板８の上面８ａに至るまでの距離Ｌ３とを加算した距離が異物吸引上側ルートの長さとなる。なお、本体２６の径方向幅Ｗ及び厚みｔは缶内の想定負圧による異物吸引が不可能となる大きさに設定され、径方向幅Ｗ（すなわち距離Ｌ２）は例えば３０ｃｍ以上に設定される。
【００２６】
ドラム缶１内に生じる想定負圧、天板８の上面８ａに存在する異物の想定荷重等に応じて、治具１の径方向幅Ｗ、厚さｔ、及び開口部２８における治具用ガスケット３０の高さ位置等を設定することにより、距離Ｌ１からＬ３を加算した異物吸引上側ルートの長さを設定することで、異物吸引上側ルートからの異物吸引が好適に阻止される。
【００２７】
以上のように本実施形態では、治具１を口金部１６に装着することにより、口金部１６におけるプラグ２０の取り外しを可能としながら、ドラム缶２の缶内負圧解消に伴い生じる空気流を天板８の上面８ａに沿う方向から天板８の上面８ａの上方に偏向することができる。これにより、口金部１６の開栓時における缶内負圧解消に伴いドラム缶１内に異物が吸引されるのを効果的に防止することができる。
【００２８】
具体的には、治具１の口金部１６への装着に伴い開口部２８がカール部１８ｃに当接することにより、異物吸引下側ルートを遮断することができる。
特に、開口部２８とカール部１８ｃとが、カール部１８ｃの上面１８ｃ１及び外周面１８ｃ２の２箇所で二重にシールされることにより、口金部１６の開栓時の異物吸引下側ルートを効果的に遮断することができる。
【００２９】
また、本体２６の上面２６ａは治具１を口金部１６に装着した状態でプラグ２０よりも上側に位置付けられ、プラグ２０の上端開口端２０ｃから本体２６の上面２６ａに至るまでは距離Ｌ１が確保されている。これにより、開栓時に発生する空気流の風圧等によって口金部１６に対し治具１がずれたり外れたりすることを確実に抑制することができるため、異物吸引を確実に防止可能である。
【００３０】
また、距離Ｌ１を確保したことで、ドラム缶２の缶内負圧解消に伴い生じる空気流の上方への偏向をより効果的に行うことができ、ひいては異物吸引上側ルートを長く確保することができる。従って、口金部１６の開栓時における缶内負圧解消に伴い缶内に異物が吸引されるのを更に効果的に防止することができる。なお、距離Ｌ１を大きくすることにより、ドラム缶１の缶内負圧解消に伴い缶内吸引される空気の流れは上方のみに生じ易くなるため、治具１の径方向幅Ｗ、厚さｔは小さくて済む場合もあり、この場合には治具１の更なる小型化を実現可能である。
【００３１】
また、治具用ガスケット３０が治具１の自重によりカール部１８ｃに押圧されて変形することで、治具用ガスケット３０が上面１８ｃ１へのシール面積を増大させながら、カール部１８ｃの上面１８ｃ１に密着される。これにより、カール部１８ｃの上面１８ｃ１におけるシール性を高めることができるため、口金部１６の開栓時における異物吸引下側ルートを更に効果的に遮断することができる。
【００３２】
以上により、ドラム缶２の缶内負圧に起因した開栓時の異物吸込みを確実に防止することができ、ドラム缶２の缶内清浄度及び品質に対する信頼性を容易にして高めることができる。具体的には、以下の実施例により本発明の効果が実証されている。
（実施例）
天板８の上面８ａに樹脂粉末（平均粒径約８５μｍ）又は紙片（シュレッダー裁断片）を模擬埃として配置し、治具１を口金部１６に装着した状態で、缶内負圧を生じたドラム缶２のプラグ２０を外した。この結果、上面８ａの模擬埃は、ドラム缶２の缶内負圧解消に伴い生じた空気流によって注入口１４に吸引されることはおろか、移動することもなかった。
【００３３】
＜第２実施形態＞
以下、図５から図７を参照して本発明の第２実施形態に係る治具３２について説明する。第１実施形態と同内容（特にドラム缶２ひいては口金部１６の構成）については図面に主要な符号のみ付して説明を省略する。
【００３４】
図５及び図６に示すように、本実施形態の治具３２は、第１実施形態の治具用ガスケット３０を備えていない。その代わりに、本体２６に形成された開口部２８は、内側フランジ２８ａよりも下側に、治具３２の口金部１６への装着に伴い開口部２８の径方向外側に湾曲可能な薄厚ｔ１を有する可撓壁（弾性部）３４を有している。
【００３５】
また、カール部１８ｃの外周面１８ｃ２の外径Ｄ１と、可撓壁３４の内周面３４ａの内径ｄ１とは、締め代を有するしまりばめ、又は中間ばめとなる、すきまばめ以外のはめあい公差を有している。
図７に示すように、治具３２を口金部１６に装着すると、内側フランジ２８ａにカール部１８ｃの上面１８ｃ１が直接に全周に亘って当接される。この際、カール部１８ｃの外周面１８ｃ２が可撓壁３４を径方向外側に押し広げるようにして湾曲させ、可撓壁３４の内周面３４ａがカール部１８ｃの外周面１８ｃ２の全周に亘って押圧されて当接される。
【００３６】
また、本体２６に可撓壁３４を形成したことにより、本体２６の下面２６ｂには可撓壁３４の変位空間としての環状の減肉部３６が形成されている。また、本体２６の外周面２６ｃは下面２６ｂに掛けて環状に切り欠いた切欠部３８が形成されている。
【００３７】
以上のように本実施形態では、第１実施形態の場合と同様に、治具３２を口金部１６に装着することで、口金部１６におけるプラグ２０の取り外しを可能としながら、開栓時において二重シールで異物吸引下側ルートを遮断することができる。更には、異物吸引上側ルートを長く確保することができるため、口金部１６の開栓時における缶内負圧解消に伴い缶内に異物が吸引されるのを効果的に防止することができ、ドラム缶２の缶内清浄度及び品質に対する信頼性を容易にして高めることができる。
【００３８】
特に本実施形態の場合には、治具３２の本体２６に減肉部３６及び切欠部３８を形成したことにより、治具３２の軽量化及び材料コスト低減を図ることができるため、治具３２の生産性を高めることができる。
また、可撓壁３４の内周面３４ａがカール部１８ｃの外周面１８ｃ２の全周に亘って押圧されるため、カール部１８ｃに対して治具３２を嵌合させて固定することができる。これによりカール部１８ｃの外周面１８ｃ２におけるシール性を高めることができるため、口金部１６の開栓時における異物吸引下側ルートを更に効果的に遮断することができる。
【００３９】
また、カール部１８ｃに対して治具３２を嵌合固定するとともに距離Ｌ１を確保したことにより、開栓時に発生する空気流の風圧等によって口金部１６に対し治具３２がずれたり外れたりすることをより一層確実に抑制することができるため、異物吸引をより一層確実に防止可能である。なお、本実施形態においても第１実施形態の実施例と同じ実験により本発明の効果が実証されている。
【００４０】
以上で本発明の各実施形態についての説明を終えるが、本発明はこれらに限定されるものではなく、本発明の趣旨を逸脱しない範囲で種々の変更ができるものである。
例えば、治具１、３２は、合成樹脂材料に限らず、ゴムや金属から形成しても良いし、上述した形状に限定されない。但し、治具１、３２を合成樹脂材料又はゴムから形成することにより、治具１、３２を口金部１６に装着したとき、ドラム缶２が傷付いたり変形したりすることを回避可能である。
【００４１】
また、第１実施形態において治具用ガスケット３０を設けず、内側フランジ２８ａにカール部１８ｃの上面１８ｃ１が直接に当接されるようにしても良い。また、各実施形態において開口部２８とカール部１８ｃとの二重シールは必須ではなく、開口部２８とカール部１８ｃとが当接し、少なくとも１箇所の環状のシール部が形成されれば良い。
また、治具１、３２はクローズ缶に限らず、胴体４の上端開口を図示しない締結ハンドで開閉可能に取り付けられた天蓋で閉塞するオープン缶の口金部にも適用可能であるのは勿論である。
【符号の説明】
【００４２】
１、３２    ドラム缶用異物吸込み防止治具
８    天板
８ｃ    筒部
１６    口金部
１８    フランジ
１８ｃ    カール部（上端部）
１８ｃ２    外周面
２０    プラグ
２６    本体
２６ａ    上面
２８    開口部
２８ａ    内側フランジ
２８ｂ    内周面
３０    治具用ガスケット（弾性部）
３４    可撓部（弾性部）
３４ａ    内周面
【図１】
0006634285.tif 000002
【図２】
0006634285.tif 000003
【図３】
0006634285.tif 000004
【図４】
0006634285.tif 000005
【図５】
0006634285.tif 000006
【図６】
0006634285.tif 000007
【図７】
0006634285.tif 000008